(57)【要約】【課題】プラズマディスプレイパネルと背面シャーシ導体間に流れる高周波電流により発生する磁界をさらに低減することのできるプラズマディスプレイ装置を提供すること。【解決手段】複数の互いに平行な電極を持つプラズマディスプレイパネルと、前記電極に電圧を印加する回路基板と、前記プラズマディスプレイパネルを保持し、かつ、前記回路基板のグラウンドが接続されるシャーシ導体と、前記回路基板、前記電極および前記シャーシ導体を流れる電流ループと鎖交する閉磁路と、を備える。【選択図】図１
2009223006.tif 000002
【特許請求の範囲】
【請求項１】
複数の互いに平行な電極を持つプラズマディスプレイパネルと、
前記電極に電圧を印加する回路基板と、
前記プラズマディスプレイパネルを保持し、かつ、前記回路基板のグラウンドが接続されるシャーシ導体と、
前記回路基板、前記電極および前記シャーシ導体を流れる電流ループと鎖交する閉磁路と、を備えたプラズマディスプレイ装置。
【請求項２】
前記閉磁路は、一部が前記プラズマディスプレイパネルと前記シャーシ導体の間に設けた磁性体層からなる、請求項１記載のプラズマディスプレイ装置。
【請求項３】
磁性を持つバックカバーをさらに備え、
前記閉磁路は、一部が前記バックカバーからなる、請求項１乃至２記載のプラズマディスプレイ装置。
【請求項４】
前記電極は、表示セルの走査および放電維持のための電極である、請求項１記載のプラズマディスプレイ装置。
【発明の詳細な説明】
【技術分野】
【０００１】
本発明は、表示デバイスとしてプラズマディスプレイパネルを用いたプラズマディスプレイ装置に関するものである。
【背景技術】
【０００２】
プラズマディスプレイ（Ｐｌａｓｍａ  ｄｉｓｐｌａｙ）装置やＣＲＴディスプレイ（Ｃａｔｈｏｄｅ−Ｒａｙ  Ｔｕｂｅ  ｄｉｓｐｌａｙ）装置などの自発光型ディスプレイ装置は、視野角の依存性が無く自然な映像が得られることから広く使用されている。特にプラズマディスプレイ装置は、薄型であり、かつ大画面を構成するのに最適であることから、急速に普及が進んでいる。
【０００３】
プラズマディスプレイ装置は、主としてプラズマディスプレイパネルを有するプラズマディスプレイモジュール部とそのモジュール部を囲むシールド筐体によって構成されている。
【０００４】
このプラズマディスプレイパネルは、ガス放電により発生した紫外線によって各放電セルに設けられた蛍光体を励起して可視光を発生させて表示光とするディスプレイであり、複数の電極（走査・維持電極対およびアドレス電極）が格子状に配列され、各電極の交差部となる放電セルを選択的に発光させることにより画像を形成する。この原理により、電極には駆動のための大きな電流が流れるため、プラズマディスプレイモジュールからはこの電流によって電磁界が発生する。
【０００５】
発生する電磁界をシールドするためのシールド筐体は、例えば、導電性のフィルタの貼り付けられた前面ガラスと、背面側の導電性バックカバーとを、導電性の部材で接続して、プラズマディスプレイモジュールを囲む構成をとり、発生する電磁界を電磁気的に遮蔽している。
【０００６】
しかし、近年の高画質化に伴う駆動電力の増加等により、従来のシールド筐体の構成では確実に電磁界を低減することが困難になってきており、特に数十ＭＨｚ以下の低周波領域においては、従来のシールド筐体ではこれらの電磁界を十分に低減することはできず、ノイズとして外部に放射してしまうという課題があった。
【０００７】
このような課題に対し、プラズマディスプレイ装置の一端側に設けられた駆動用基板と他端に設けられた駆動用基板の間を接続している接地戻り導体板に、隣接導体筒を設け、この隣接導体筒に発生する渦電流により接地戻り導体板のインダクタンス分を打ち消すようにしたものが提案されている（例えば、特許文献１参照）。
【０００８】
また、プラズマディスプレイ装置の前面ガラスの周縁部を押え金具と共に挟持することにより保持する前面キャビネット部分において、電磁シールドを２重にすることによりシールド性能を高めたプラズマディスプレイ装置も提案されている（例えば、特許文献２参照）。
【０００９】
また、駆動源と負荷回路との間の閉じた電流経路が少なくとも２つのループ形状経路を形成するようにし、各ループ形状回路で生じる磁界を互いに打ち消しあうプラズマディスプレイ装置も提案されている（例えば、特許文献３参照）。
【００１０】
また、プラズマディスプレイパネルを保持するシャーシ導体をバックカバーに接続して駆動回路基板を囲んでシールドする構成としたプラズマディスプレイ装置も提案されている（例えば、特許文献４参照）。
【特許文献１】特開２００１−８３９０９号公報
【特許文献２】特開２００２−３７２９１７号公報
【特許文献３】特開２００５−２２１７９７号公報
【特許文献４】特開平１０−２８２８９６号公報
【発明の開示】
【発明が解決しようとする課題】
【００１１】
しかしながら、特許文献１に記載のプラズマディスプレイ装置においては、パネルと接地戻り導体板の内側に低減効果が期待できる大きさの隣接導体筒を挿入すると流れる電流のループ面積全体が拡大して低減しようとする電磁界そのものも増加して低減効果が薄れるという課題がある。
【００１２】
また、特許文献２のプラズマディスプレイ装置においては、前面キャビネットは装置全体の側面部分のみに位置し、２重シールドの効果がこの部分に限られ、シールド効果の改善はあるものの駆動電流に起因する電磁界の低減効果という観点では十分ではないという課題がある。
【００１３】
また、特許文献３のプラズマディスプレイ装置においては、駆動電流の経路自体が延長されるため、駆動信号波形等の調整が必要になるとともに、２つのループ形状で生じる電磁界を完全に打ち消すように構成するのが難しく、十分な低減効果が得ることが困難であるという課題がある。
【００１４】
また、特許文献４のプラズマディスプレイ装置においては、駆動回路基板自体はシールド効果が増すものの、プラズマディスプレイパネルとシャーシ導体間に流れる電流により発生する電磁界は十分に低減することはできないという課題がある。
【００１５】
本発明は上記課題に鑑みてなされたものであり、プラズマディスプレイパネルを流れる駆動電流に起因する電磁妨害波を低減することができるプラズマディスプレイ装置を提供することを目的とする。
【課題を解決するための手段】
【００１６】
上記目的は以下のプラズマディスプレイ装置により達成できる。当該課題を達成するためのプラズマディスプレイ装置は、複数の互いに平行な電極を持つプラズマディスプレイパネルと、前記電極に電圧を印加する回路基板と、前記プラズマディスプレイパネルを保持し、かつ、前記回路基板のグラウンドが接続されるシャーシ導体と、前記回路基板、前記電極および前記シャーシ導体を流れる電流ループと鎖交する閉磁路と、を備えたプラズマディスプレイ装置である。
【発明の効果】
【００１７】
本発明によるプラズマディスプレイ装置によれば、閉磁路内での磁界の閉じ込め効果により、プラズマディスプレイパネルと背面シャーシ導体間に流れる高周波電流により発生する磁界を低減することのできるプラズマディスプレイ装置を提供することができる。
【発明を実施するための最良の形態】
【００１８】
以下、プラズマディスプレイ装置の実施の形態について図面を参照して説明する。なお、実施の形態において同様の動作を行う構成要素に同じ符号を付し、再度の説明を省略する場合がある。
【００１９】
（実施の形態１）
図１（ａ）は、実施の形態１に係るプラズマディスプレイ装置１の正面図であり、図１（ｂ）は、図１（ａ）の線分Ａ−Ａにおける断面を示した断面図である。
【００２０】
プラズマディスプレイ装置１は、プラズマディスプレイパネル２、シャーシ導体３、金属材料からなるバックカバー４、プラズマディスプレイパネルを駆動する駆動回路基板５、プラズマディスプレイ装置１の前面側を保護し、各種フィルタが貼付けられる前面ガラス６、電磁ノイズを抑制する導電性フィルタ７、前面ガラス６を押さえて保持するとともに、導電性フィルタ７とバックカバー４を導通させるガラス押さえ金具８、樹脂材料からなるフレーム枠９、そして閉磁路１０を具備する。
【００２１】
閉磁路１０はプラズマディスプレイパネル２とシャーシ導体３の間に設けられた磁性シートからなる前側部１０ａと、前側部１０ａの上下端をつなぐように鉄からなる後側部１０ｂとからなる。
【００２２】
プラズマディスプレイパネル２は接着層（図示せず）を介して、閉磁路１０の前側部１０ａおよびシャーシ導体３に接着されて保持される。
【００２３】
ここで、プラズマディスプレイパネル２の構造について、図２を参照して説明する。図２はプラズマディスプレイパネル２の一部２ａを拡大し、その階層構造を図示した斜視図である。
【００２４】
プラズマディスプレイパネル２は、前面ガラス基板２０１と、背面ガラス基板２０２とを有する。前面ガラス基板２０１は、第１の方向と平行な走査電極２０３ａと維持電極２０３ｂとからなる表示電極対２０３が多数形成されている。
【００２５】
背面ガラス基板２０２は、第１の方向と直交して交差する第２の方向と平行なアドレス電極２０４が多数形成されている。
【００２６】
表示電極対２０３は誘電体層２０５で覆われている。誘電体層２０５は、ＭｇＯ等で形成された保護膜２０６で覆われている。
【００２７】
また、背面ガラス基板２０２には、誘電体層２０７を介して直交する隔壁２０８が設けられ、赤・青・緑の蛍光体２０９が塗布されている。前面ガラス基板２０１と背面ガラス基板２０２とが貼り合わされる形で、その間に隔壁２０８で区画された放電セル２１０を形成する。
【００２８】
前面ガラス基板２０１および背面ガラス基板２０２の最も広い面は長方形である。第１の方向は長方形の長辺方向であり、一般に水平方向（図２ではｘ方向）になるようにして設置される。第２の方向は長方形の短辺方向であり、一般に鉛直方向（図２ではｚ方向）になるようにして設置される。
【００２９】
前面ガラス基板２０１および背面ガラス基板２０２はそれぞれおよそ１．５ｍｍ〜３ｍｍの厚さである。以下、前面ガラス基板２０１が配置される側を前面とも言う。また、背面ガラス基板２０２が配置される側を背面ともいう。
【００３０】
前面から見て表示電極対２０３とアドレス電極２０４とが交わる位置であって、表示電極対２０３とアドレス電極２０４とに挟まれた部分が放電セル２１０である。放電セル２１０には赤・青・緑のいずれかの蛍光体２０９が塗布されている。放電セル２１０にはヘリウム（Ｈｅ）、ネオン（Ｎｅ）、キセノン（Ｘｅ）等の希ガスを含む放電ガス（図示せず）が封入されている。そして表示電極対２０３およびアドレス電極２０４に電圧を印加して放電セル２１０に放電を起こし、紫外線（図示せず）を発生させる。そして、発生した紫外線で蛍光体２０９を励起して発光させ画像を表示する。
【００３１】
具体的には、まず、走査電極２０３ａの全ラインに電圧を印加して全部の放電セル２１０で放電を起こす初期化放電を行う。次に、走査電極２０３ａに順次電圧を印加するとともに、電圧が印加された走査電極２０３ａ上で発光させたい放電セル２１０と交わるアドレス電極２０４にも電圧を印加する。これをアドレス放電といい、電圧が印加された走査電極２０３ａとアドレス電極２０４とが交わる位置の放電セル２１０が発光し、該放電セルが発光セルとして選択される。その後、走査電極２０３ａと維持電極２０３ｂとの間に交流電圧を印加する維持放電を行う。維持放電により、先程選択された発光セルのみが発光し、プラズマディスプレイパネルは画像を表示する。
【００３２】
次にシャーシ導体３について説明する。シャーシ導体３は、プラズマディスプレイパネル２や駆動回路基板５が発生した熱を吸収し、空気中や他の部材に熱を逃がす放熱部材として機能する。また、シャーシ導体３は、プラズマディスプレイパネル２や駆動回路基板５を支持しこれらの強度を保つ強度部材としても機能する。さらに、シャーシ導体３は、プラズマディスプレイパネル２や駆動回路基板５等の電気的なグラウンドとしても機能する。
【００３３】
シャーシ導体３はアルミからなる。ただし、これに限られるものではなく、例えば鉄などを用いてもよい。要するに、上記の機能を得られる導電材料であればよい。鉄を用いた場合にはアルミに比べて低コストで実現することができる。
【００３４】
次にプラズマディスプレイ装置１のシールド筐体構造について説明する。バックカバー４は、金属板をプレス成形することにより形成される。バックカバー４は、プラズマディスプレイパネル２の背面を覆うようにガラス押さえ金具８に固定され、駆動回路基板５を覆うように構成される。バックカバー４は、通風孔（図示せず）を有しており、バックカバー４の外部と内部とを空気の入れ替えが可能となっている。
【００３５】
また、バックカバー４は導電性を有し、ガラス押さえ金具８と導電性フィルタ７によって全体を囲むことでシールド筐体を構成し、プラズマディスプレイパネル２、駆動回路基板５等から放射される電磁波を遮蔽する。
【００３６】
ここで、閉磁路１０による磁界の低減作用について説明する。
【００３７】
駆動回路基板５によってプラズマディスプレイパネル２には駆動電圧が印加される。上述した維持放電の期間においては、数百Ｖ、数百ｋＨｚの駆動電圧を走査電極２０３ａおよび維持電極２０３ｂに交互に印加し、両電極間の放電セル２１０内で放電を発生させる。これにより、維持放電の期間中にプラズマディスプレイパネル２においてインパルス的に大電流が流れる。
【００３８】
例えば走査電極２０３ａに駆動電圧を印加すると、走査電極２０３ａを駆動する駆動回路基板５の駆動部、走査電極２０３ａ、放電セル内の空間、維持電極２０３ｂ、維持電極２０３ｂに対応する駆動回路基板５のグラウンド、シャーシ導体３および走査電極２０３ａを駆動する駆動回路基板５のグラウンド、によって形成されるループ経路上に大電流が流れる。こうしてループ状に流れる大電流は、大きな磁界を発生させる。
【００３９】
大きな磁界を発生させる磁束は、図１（ｂ）に矢印で示したように、プラズマディスプレイパネル２とシャーシ導体３の間を、上記ループを交差するように鉛直方向（図１ではz方向）に生じる。生じた磁束は、閉磁路１０の磁性シートからなる前側部１０ａ内を通り、鉄からなる後側部１０ｂを通って前側部１０ａに戻る。
【００４０】
このようにすることで、閉磁路１０が、上記ループに交差しているため、発生する磁束の通り道として閉じた磁路を構成するので、閉磁路１０の内部に磁束が閉じ込められ、外部への磁束の漏れを少なくすることができる。結果として、プラズマディスプレイ装置１から外部に放射される磁界を低減することができる。
【００４１】
なお、閉磁路１０の前側部１０ａを磁性シートとしたが、磁性を有していればどのような材料でも構わない。例えばフェライト等を用いることができる。また、例えば鉄板などを用いてもよい。フェライトのシートを用いれば、透磁率が大きいため磁束の閉じ込め効果が高く、さらには薄く構成することができる。
【００４２】
また、閉磁路１０の後側部１０ｂを鉄としたが、これに限られるものではなく、フェライト等を用いることもできる。要するに磁性を有していればどのような材料でも構わない。鉄を用いることで、プラズマディスプレイ装置１の強度を上げることができ、また、導電性を有するので駆動回路基板５やその他の回路基板等から放射される電界ノイズのシールド効果を高めることができる。
【００４３】
また、本実施の形態においては、維持放電による水平方向の電流ループに対して閉磁路１０が鉛直方向に鎖交するように構成したが、アドレス放電による鉛直方向の電流ループに対して閉磁路１０を水平方向に鎖交するように設けることもできる。要するにいずれかの電流ループに対して鎖交するように閉磁路１０を設けることで、放射する磁界を低減することができる。維持放電の時間がアドレス放電の時間より長いため、電流量は維持放電の時間の方が大きい。本実施の形態のように維持放電による水平方向の電流ループに対して閉磁路１０が鉛直方向に鎖交するように構成すればより大きな磁界の低減効果が得られる。
【００４４】
（実施の形態２）
次に、本発明の実施の形態２について、図３を参照しながら説明する。実施の形態２は実施の形態１と比べて、閉磁路の構成が異なる。
【００４５】
図３（ａ）は、実施の形態２に係るプラズマディスプレイ装置１１の正面図であり、図３（ｂ）は、図３（ａ）の線分Ｂ−Ｂにおける断面を示した断面図である。
【００４６】
プラズマディスプレイ装置１１は、プラズマディスプレイパネル２、シャーシ導体３、磁性材料からなるバックカバー１２ｂ、プラズマディスプレイパネル２を駆動する駆動回路基板５、プラズマディスプレイ装置１１の前面側を保護し、各種フィルタが貼付けられる前面ガラス６、電磁ノイズを抑制する導電性フィルタ７、前面ガラス６を押さえて保持するとともに、導電性フィルタ７とバックカバー１２ｂを導通させるガラス押さえ金具８、樹脂材料からなるフレーム枠９、そして閉磁路１２を具備する。
【００４７】
閉磁路１２はプラズマディスプレイパネル２とシャーシ導体３の間に設けられた磁性シートからなる前側部１２ａと、前側部１２ａの上下端をつなぐように鉄からなるバックカバー１２ｂとからなる。
【００４８】
ここで、バックカバー１２ｂは、前側部１２ａの上下端とつながることで、実施の形態１における後側部１０ｂとしての機能を果たし、閉磁路１２の一部を構成する。
【００４９】
ここで、閉磁路１２による磁界の低減作用について説明する。
【００５０】
上述したように、走査電極２０３ａに駆動電圧を印加すると、走査電極２０３ａを駆動する駆動回路基板５の駆動部、走査電極２０３ａ、放電セル内の空間、維持電極２０３ｂ、維持電極２０３ｂに対応する駆動回路基板５のグラウンド、シャーシ導体３および走査電極２０３ａを駆動する駆動回路基板５のグラウンド、によって形成されるループ経路上に大電流が流れる。こうしてループ状に流れる大電流は、大きな磁界を発生させる。
【００５１】
大きな磁界を発生させる磁束は、図３（ｂ）に矢印で示したように、プラズマディスプレイパネル２とシャーシ導体３の間を、上記ループを交差するように鉛直方向（図３ではz方向）に生じる。生じた磁束は、閉磁路１２の磁性シートからなる前側部１２ａ内を通り、鉄からなる後側部であるバックカバー１２ｂを通って前側部１２ａに戻る。
【００５２】
このようにすることで、閉磁路１２が、上記ループに交差しているため、発生する磁束の通り道として閉じた磁路を構成するので、閉磁路１２の内部に磁束が閉じ込められ、外部への磁束の漏れを少なくすることができる。結果として、プラズマディスプレイ装置１１から外部に放射される磁界を低減することができる。
【００５３】
本実施の形態によれば、バックカバーそのものを閉磁路の一部に使うことで、簡易的な構造で漏れ磁束をなくすことができる。結果として低コスト化、さらには薄型化が可能である。
【００５４】
なお、閉磁路１２の後側部であるバックカバー１２ｂを鉄としたが、これに限られるものではなく、フェライト等を用いることもできる。要するに磁性を有していればどのような材料でも構わない。鉄を用いることで、プラズマディスプレイ装置１１の強度を上げることができ、また、導電性を有するので駆動回路基板５やその他の回路基板等から放射される電界ノイズのシールド効果を高めることができる。
【００５５】
また、本実施の形態においても実施の形態１と同様、維持放電による水平方向の電流ループに対して閉磁路１２が鉛直方向に鎖交するように構成したが、アドレス放電による鉛直方向の電流ループに対して閉磁路１０を水平方向に鎖交するように設けることもできる。要するにいずれかの電流ループに対して鎖交するように閉磁路１２を設けることで、放射する磁界を低減することができる。維持放電の時間がアドレス放電の時間より長いため、電流量は維持放電の時間の方が大きい。本実施の形態のように維持放電による水平方向の電流ループに対して閉磁路１２が鉛直方向に鎖交するように構成すればより大きな磁界の低減効果が得られる。
【００５６】
上述の実施の形態は本発明の一例である。本発明は、以上の実施の形態に限定されることなく、種々の変更が可能であり、それらも本発明の範囲内に包含されるものであることは言うまでもない。
【産業上の利用可能性】
【００５７】
本発明にかかるプラズマディスプレイ装置は、不要輻射を低減したプラズマディスプレイ装置等として有用である。
【図面の簡単な説明】
【００５８】
【図１】（ａ）本発明の実施の形態１に係るプラズマディスプレイ装置の正面図、（ｂ）本発明の実施の形態１に係るプラズマディスプレイ装置の断面図
【図２】プラズマディスプレイパネルの階層構成を示した斜視図
【図３】（ａ）本発明の実施の形態２に係るプラズマディスプレイ装置の正面図、（ｂ）本発明の実施の形態２に係るプラズマディスプレイ装置の断面図
【符号の説明】
【００５９】
１、１１  プラズマディスプレイ装置
２  プラズマディスプレイパネル
３  シャーシ導体
４  バックカバー
５  駆動回路基板
６  前面ガラス
７  導電性フィルタ
８  ガラス押さえ金具
９  フレーム枠
１０、１２  閉磁路
１０ａ、１２ａ  前側部
１０ｂ、１２ｂ  後側部
２０１  前面ガラス基板
２０２  背面ガラス基板
２０３ａ  走査電極
２０３ｂ  維持電極
２０４  アドレス電極
２０５  誘電体層
２０６  保護膜
２０７  誘電体層
２０８  隔壁
２０９  蛍光体
２１０  放電セル
【図１】
2009223006.tif 000003
【図２】
2009223006.tif 000004
【図３】
2009223006.tif 000005